(57)【要約】【課題】遊技状態に拘わらず音量の設定変更ができ、音量の設定変更により遊技の演出を邪魔することのない遊技機を提供すること。【解決手段】特別図柄が変動している変動状態と、特別図柄の変動が行われていない状態である、変動が終了してから所定の時間が経過するまでの状態と、所定の時間が経過した後の待機状態のいずれの遊技状態であっても遊技者による演出音の音量の設定が変更可能であり、待機状態で遊技者によって音量の設定を変更するための操作が行われると、音量レベル画像表示手段により音量レベル画像を表示させ、確認音出力制御手段により確認音を出力するようになす一方、変動状態及び変動が終了してから所定の時間が経過するまでの状態では、音量レベル画像表示禁止手段によって音量レベル画像の表示を禁止するとともに、確認音出力禁止手段によって前記確認音の出力を禁止するように構成する。【選択図】        図１６
2019022780.tif 000002
【特許請求の範囲】
【請求項１】
始動口への入球に起因して抽出された乱数値に応じて当否判定を行う当否判定手段と、
該当否判定手段による判定結果を示す特別図柄を変動後に確定表示する特別図柄表示装置と、
前記特別図柄が変動中に行われる擬似演出を表示する演出図柄表示装置と、
前記擬似演出に応じた演出音を出力する音声出力制御手段と、
該音声出力制御手段によって出力される前記演出音の音量の設定を遊技者によって変更可能な遊技機において、
設定された音量の音量レベル画像を前記演出図柄表示装置に表示させる音量レベル画像表示手段と、
音量の設定に基づいて所定の確認音を出力する確認音出力制御手段と、
前記音量レベル画像の表示を禁止する表示禁止手段と、
前記確認音の出力を禁止する確認音出力禁止手段と、
遊技状態を判別する遊技状態判別手段と、を備え、
該遊技状態判別手段により判別された遊技状態が、前記特別図柄が変動している変動状態と、前記特別図柄の変動が行われていない状態である、前記特別図柄の変動が終了してから所定の時間が経過するまでの状態と、当該所定の時間が経過した後の待機状態と、のいずれの状態であっても遊技者による前記演出音の音量の設定が変更可能であり、
前記待機状態で遊技者によって音量の設定を変更するための操作が行われると、前記音量レベル画像表示手段により前記音量レベル画像を表示するとともに、前記確認音出力制御手段により前記確認音を出力可能となし、
前記変動状態で遊技者によって前記操作が行われたとき、及び前記特別図柄の変動が終了してから前記所定の時間が経過するまでの状態で前記操作が行われたときには、前記表示禁止手段によって前記音量レベル画像の表示を禁止するとともに、前記変動状態で遊技者によって前記操作が行われたときには前記確認音出力禁止手段によって前記確認音の出力を禁止するようになし、
前記所定の時間は、新たな前記特別図柄の変動が可能な期間であり、且つ前記音量レベル画像が表示された後に前記操作が行われずに前記音量レベル画像の表示が終了するまでの継続時間よりも長いことを特徴とする遊技機。
【発明の詳細な説明】
【技術分野】
【０００１】
本発明は遊技機、特に遊技に伴う演出音の音量を遊技者によって設定変更可能な遊技機に関する。
【背景技術】
【０００２】
従来、遊技機たるパチンコ機は、遊技球が始動口へ入球すると、これに起因して抽出された乱数値に基づいて大当りとなるか否かの当否判定を行ない、該当否判定の結果を、特別図柄を所定時間変動させたあとに確定表示させることで報知している。尚、特別図柄の変動中は演出図柄表示装置にて、特別図柄の変動に対応した擬似演出が行われ、遊技機に設けられたスピーカからは前記擬似演出に対応した演出音が出力される。遊技者は、前記擬似演出、前記演出音にて当否の結果に対して期待感を高める。
【０００３】
また近時、パチンコ機で行われる擬似演出（演出音も含む）は、質が高く、ストーリー性の豊かな演出で、映画を見ているかのように遊技者を楽しませる。
そこで、遊技者がより擬似演出を楽しめるように特許文献１に記載のパチンコ機では演出音の音量を遊技者が自分の好みに合わせて変更できるようにし、かつ遊技者による音量の設定変更時に、変更された音量レベルに応じた確認音をスピーカから出力するとともに、音量の音量レベルを示す確認画像を遊技者が見易い演出図柄表示装置に表示させる構成とされている。
遊技者による音量の設定変更が可能な期間として遊技者が遊技していない状態だけでなく図柄が変動している状態でも可能な構成としている。
【先行技術文献】
【特許文献】
【０００４】
【特許文献１】特開２０１１−２２９７６６号
【発明の概要】
【発明が解決しようとする課題】
【０００５】
しかしながら、図柄の変動中に音量の設定変更が行われると、演出図柄表示装置の擬似演出図柄や演出画像に混ざって音量レベルを示す確認画像が表示されるので、質の高い演出を邪魔するおそれがあり、また演出効果音に混ざって演出と無関係な確認音が出力され
るので、遊技者が没頭している擬似演出のイメージが崩れ、興ざめするおそれがあった。
そこで本願発明は前記事情に鑑み、遊技状態に関わらず容易に音量の設定変更ができる機能を維持しつつ、音量の設定変更により遊技の演出を邪魔することのない遊技機を提供
することを課題としてなされたものである。
【課題を解決するための手段】
【０００６】
請求項１に記載の発明は、
始動口への入球に起因して抽出された乱数値に応じて当否判定を行う当否判定手段と、
該当否判定手段による判定結果を示す特別図柄を変動後に確定表示する特別図柄表示装置と、
前記特別図柄が変動中に行われる擬似演出を表示する演出図柄表示装置と、
前記擬似演出に応じた演出音を出力する音声出力制御手段と、
該音声出力制御手段によって出力される前記演出音の音量の設定を遊技者によって変更可能な遊技機において、
設定された音量の音量レベル画像を前記演出図柄表示装置に表示させる音量レベル画像表示手段と、
音量の設定に基づいて所定の確認音を出力する確認音出力制御手段と、
前記音量レベル画像の表示を禁止する表示禁止手段と、
前記確認音の出力を禁止する確認音出力禁止手段と、
遊技状態を判別する遊技状態判別手段と、を備え、
該遊技状態判別手段により判別された遊技状態が、前記特別図柄が変動している変動状態と、前記特別図柄の変動が行われていない状態である、前記特別図柄の変動が終了してから所定の時間が経過するまでの状態と、当該所定の時間が経過した後の待機状態と、のいずれの状態であっても遊技者による前記演出音の音量の設定が変更可能であり、
前記待機状態で遊技者によって音量の設定を変更するための操作が行われると、前記音量レベル画像表示手段により前記音量レベル画像を表示するとともに、前記確認音出力制御手段により前記確認音を出力可能となし、
前記変動状態で遊技者によって前記操作が行われたとき、及び前記特別図柄の変動が終了してから前記所定の時間が経過するまでの状態で前記操作が行われたときには、前記表示禁止手段によって前記音量レベル画像の表示を禁止するとともに、前記変動状態で遊技者によって前記操作が行われたときには前記確認音出力禁止手段によって前記確認音の出力を禁止するようになし、
前記所定の時間は、新たな前記特別図柄の変動が可能な期間であり、且つ前記音量レベル画像が表示された後に前記操作が行われずに前記音量レベル画像の表示が終了するまでの継続時間よりも長いことを特徴とする。
尚、前記待機状態は遊技者により遊技が行なわれていないと判断された状態も含み、前記変動状態は特別図柄が変動状態である他、大当りの特別遊技状態等を含むことが望ましい。
【０００７】
請求項１に記載の発明によれば、待機状態であっても変動状態であっても何時でも、遊技者は任意に音量の設定変更を行うことができる。
そして、待機状態における音量の設定変更は、音量レベル画像が表示されると共に確認音が出力されるので、遊技者は、実際の音量レベルを確認できる上、どの位の範囲で音量を変更可能であるかが分かり、容易に音量を設定変更することができる。
一方、変動状態における音量の設定変更は、設定変更時に音量レベル画像が表示されず、確認音も出力されないため、擬似演出の邪魔にならず、遊技者は好みの音量で擬似演出を楽しむことができる。
尚、変動状態にて音量の設定変更を行う遊技者は、待機状態でも音量の設定変更を行った経験者が多いため、変動状態の音量の設定変更時に音量レベル画像が表示されなくても経験を生かして容易に音量の設定変更ができる。また変動状態では、音量の設定変更を行うと演出音の音量が設定変更の操作に応じて変化するようにすれば、確認音が出力されなくても、変更した音量の大きさを確認でき、容易に遊技者が好みの音量に設定変更することができる。
【０００８】
遊技機は、発射された遊技球が始動口に入球することで特別図柄が変動して擬似演出が開始される。この場合、遊技者が遊技している（遊技球を発射している）にも関わらず、擬似演出が行われていない状態が発生する可能性がある。そこで本発明は、特別図柄の変動が終了してから所定の時間が経過する前に音量の設定を変更するための操作が行われても音量レベル画像の表示をしないようにすることで、何時、擬似演出が行われても、当該擬似演出の邪魔をせずにすむ。
【図面の簡単な説明】
【０００９】
【図１】本発明を適用した遊技機の正面図である。
【図２】前記遊技機の遊技盤の正面図である。
【図３】前記遊技機の背面図である
【図４】前記遊技機の音量設定の操作に関する第１の説明図である。
【図５】前記遊技機の電気ブロック図である。
【図６】前記遊技機の主制御装置で実行されるメインルーチンの制御内容を示すフローチャートである。
【図７】前記主制御装置で実行される始動口入賞確認処理の制御内容を示すフローチャートである。
【図８】前記主制御装置で実行される特別図柄の当否判定処理の制御内容を示す第１のフローチャートである。
【図９】前記当否判定処理の制御内容を示す第２のフローチャートである。
【図１０】前記当否判定処理の制御内容を示す第３のフローチャートである。
【図１１】前記当否判定処理の制御内容を示す第４のフローチャートである。
【図１２】前記遊技機のサブ制御装置で実行される変動開始処理の制御内容を示すフローチャートである。
【図１３】前記サブ制御装置で実行される待機コマンド受信処理の制御内容を示すフローチャートである。
【図１４】前記サブ制御装置で実行される音量設定表示処理の制御内容を示すフローチャートである。
【図１５】前記サブ制御装置で実行される表示切替処理の制御内容を示すフローチャートである。
【図１６】前記サブ制御装置で実行される音量切替処理の制御内容を示すフローチャートである。
【図１７】前記サブ制御装置で実行される音量レベル表示消去処理の制御内容を示すフローチャートである。
【図１８】前記サブ制御装置で実行される確認音処理の制御内容を示すフローチャートである。
【図１９】前記遊技機の演出図柄表示装置で実施される音量設定に関する第１の演出表示態様を示す図である。
【図２０】前記遊技機の演出図柄表示装置で実施される音量設定に関する第２の演出表示態様を示す図である。
【図２１】前記遊技機の演出図柄表示装置で実施される音量設定に関する第３の演出表示態様を示す図である。
【図２２】前記遊技機の演出図柄表示装置で実施される音量設定に関する第４の演出表示態様を示す図である。
【図２３】前記遊技機の音量設定の操作に関する第２の説明図である。
【発明を実施するための形態】
【００１０】
本発明を適用した第１の実施形態の遊技機たるパチンコ機を説明する。図１（ａ）に示すように、パチンコ機１は、縦長の固定外郭保持枠をなす外枠１０にて構成の各部を保持する構造としてある。外枠１０には、左側の上下の位置に設けたヒンジ１０１を介して、板ガラス１１０が嵌め込まれた前枠（ガラス枠）１１及び後述する図略の内枠が開閉可能に設けてある。なお、これら前枠１１及び前記内枠はシリンダ錠１８により外枠１０に閉鎖ロックされ、シリンダ錠１８に所定の鍵を挿入し、鍵を時計回りに操作して前記内枠を開放するようになし、反時計まわりの操作により前枠１１を開放する。
前枠１１の板ガラス１１０の奥には前記内枠に保持された後述する遊技盤が設けてある。
【００１１】
前枠１１の上部の左右両側位置にはそれぞれスピーカ１１２が設置してあり、これらにより遊技音が出力され、遊技の趣向を向上させる。また前枠１１には遊技状態に応じて発光する枠側装飾ランプ１１３のほか、遊技の異常を報知するＬＥＤ類が設けてある。
【００１２】
前枠１１の下半部には上皿１２と下皿１３とが一体に形成してある。下皿１３の右側には発射ハンドル１４が設けてあり、該発射ハンドル１４を時計回りに操作することにより発射装置が作動して、上皿１２から供給された遊技球が遊技盤２に向けて発射される。また上皿１２には賞球が払い出される。
下皿１３は上皿１２から溢れた賞球を受ける構成で、球抜きレバーの操作により下皿１３に溜まった遊技球を遊技店に備えられた別箱（ドル箱）に移すことができる。
【００１３】
本パチンコ機１は所謂ＣＲ機であって、プリペイドカードの読み書きを行うプリペイドカードユニット（ＣＲユニット）６０が隣接してある。パチンコ機１には上皿１２の右側に貸出ボタン１７１、精算ボタン１７２及び精算表示装置１７３が設けてある。また上皿１２の中央位置には遊技者が操作可能な演出ボタン１５と、その外周を囲むようにジョグダイヤル１６が設置されている。更に上皿１２の左側には、十字キー１９が設置されている。
【００１４】
図１（ｂ）に示すように、十字キー１９は上ボタン１９１、下ボタン１９２、左ボタン１９３、右ボタン１９４及び中ボタン１９５の５つの操作ボタンにより構成されている。該十字キー１９を用いて、遊技者はパチンコ機の演出音の音量の設定変更を行なうことができる。この場合、上ボタン１９１により音量を大きくし、下ボタン１９２により音量を小さくすることができる。尚、十字キー１９による音量の設定変更は「１〜５」の５段階の調整が可能とされる。
【００１５】
図２は遊技盤２を示し、遊技盤２には外レール２０１と内レール２０２とによって囲まれた略円形の遊技領域２０が形成されている。遊技領域２０には、その中央部にセンターケース２００が装着されている。
センターケース２００は中央に演出図柄表示装置２１（全体の図示は省略）のＬＣＤパネルが配設されている。またセンターケース２００には、周知のものと同様にワープ入口、ワープ樋、ステージなどが設けられている。
【００１６】
センターケース２００の左側位置には普通図柄（以下、単に普図という）の作動ゲート（普図作動口）２２が設置されている。
センターケース２００の直下には特別図柄（以下、単に特図という）の当否判定を実行する始動口として、常時入球（入賞）可能な第１特図始動口２３、チューリップ式普通電動役物からなる第２特図始動口２４とが上下位置に設置されている。第１特図始動口２３への入球により第１特図の当否判定が行われ、第２特図始動口２４により第２特図の当否判定が行われる。
【００１７】
第２特図始動口２４は普通電動役物（以下、単に普電役物という）の開放時にのみ入球（入賞）可能である。普電役物は、遊技球が作動ゲート２２を通過したことに起因して実行される普図の抽選で当りとなると所定時間開放する。
【００１８】
第１及び第２特図始動口２３，２４の直下位置には、開閉板にて開閉される大入賞口２５が配置されている。大入賞口２５は特図の大当りからの特別遊技において開閉する特別入賞装置である。
【００１９】
また第１及び第２特図始動口２３，２４の左側位置には、複数の普通入賞口２６が配置され、遊技領域２０の最下部にはアウト口２０３が設けられている。
尚、遊技盤２の遊技領域２０には、多数の遊技釘や風車が植設されている。
【００２０】
遊技盤２の右下部には遊技領域２０外に、特図が変動表示される第１特図表示装置２７、第２特図表示装置２８、普図が変動表示される普通図柄表示装置２９、特図の保留記憶が表示される第１特図保留数表示装置２７１、第２特図保留数表示装置２８１、及び普図の保留記憶が表示される普図保留数表示装置２９１が配設されている。
【００２１】
図３（ａ）に示すように、パチンコ機１の裏側は、前記遊技盤等を支持する内枠３０が収納されている。内枠３０は、前記前枠１１と同様に、一方の側縁（図３の右側）の上下位置が前記外枠１０にヒンジ結合され開閉可能に設置されている。内枠３０には、遊技球流下通路が形成されており、上方(上流)から球タンク３１、タンクレール３２、払出ユニット３３が設けられ、払出ユニット３３の中には払出装置が設けられている。この構成により、遊技領域２０の入賞口に遊技球が入賞すれば球タンク３１からタンクレール３２を介して所定個数の遊技球（賞球）が払出ユニット３３により払出球流下通路を通り前記上皿１２に払い出される。また、本実施形態では前記賞球を払い出す払出ユニット３３により前記貸出ボタン１７１の操作で払い出される貸球も払い出す構成としてある。
【００２２】
パチンコ機１の裏側には、主制御装置４０、払出制御装置４１、サブ統合制御装置４２、演出図柄制御装置４３、発射制御装置４４、電源基板４５が設けられている。
主制御装置４０、サブ統合制御装置４２、演出図柄制御装置４３は遊技盤２に設けられ、払出制御装置４１、発射制御装置４４、電源基板４５は内枠３０に設けられている。図３では発射制御装置４４が描かれていないが、払出制御装置４１の下に設けてある。
【００２３】
また、パチンコ機１の裏側には球タンク３１の右側に、外部接続端子板３８が設けてあり、外部接続端子板３８により、遊技状態や遊技結果を示す信号が図示しないホールコンピュータへ送られる。尚、従来はホールコンピュータへ信号を送信するための外部接続端子板には、盤用（遊技盤側から出力される信号をホールコンピュータへ出力するための端子）と枠側（外枠１０、前枠１１、内枠３０）から出力される信号をホールコンピュータへ出力するための端子）の２種類を用いているが、本実施形態では、ひとつの外部接続端子板３８を介して遊技状態や遊技結果を示す信号をホールコンピュータへ送信する。
【００２４】
更にパチンコ機１の裏側にはサブ統合制御装置４２に、遊技施設の従業員が前記演出音の基準となる音量、即ち電源復旧によるリセット後などのデフォルトとなる音量を設定するための背面音量設定スイッチ３５が設置されている。
図３（ｂ）に示すように、背面音量設定スイッチ３５はロータリー式スイッチであり、１６段階の音量に設定可能とされている。
【００２５】
ここで、前記基準となる音量の設定と、遊技者の十字キー１９による音量の設定変更について説明する。図４に示すように、基準となる音量の設定は「設定値０〜１５」の１６段階から設定可能で、背面音量設定スイッチ３５により選択された設定値に応じて決定される。例えば背面音量設定スイッチ３５にて「設定値４」が選択されると、「設定値４」に応じた音量にて演出音が出力され、背面音量設定スイッチ３５にて「設定値９」が選択されると、「設定値９」に応じた音量にて演出音が出力される。尚、「設定値０」は無音で設定値が大きくなるほど音量が大きくなる。
【００２６】
遊技者の十字キー（前面音量設定スイッチ）１９による音量の設定変更は、「レベル１〜５」の５段階から設定可能で、背面音量設定スイッチ３５の「設定値４〜１５」の音量に相当する範囲で設定変更できる。この場合、十字キー１９の５段階の各レベルに対応して背面音量設定スイッチ３５の「設定値４〜１５」の設定範囲が５段階に区分されている。例えば、背面音量設定スイッチ３５の「設定値４と５」が第１区分とされて十字キー１９の「レベル１」に相当する。同様に、「設定値６と７」が第２区分とされて「レベル２」に相当し、「設定値８と９」が第３区分とされて「レベル３」に相当し、「設定値１０と１１」が第４区分とされて「レベル４」に相当する。そして「設定値１２〜１５」が第５区分とされて「レベル５」に相当する。
【００２７】
遊技者により音量の設定変更が行なわれ、十字キー１９の「レベル１」が選択されると背面音量設定スイッチ３５の「設定値４」が選択されている状態の音量が出力され、「レベル２」の選択時には「設定値６」が選択されている状態の音量が出力され、「レベル３」の選択時には「設定値８」が選択されている状態の音量が出力され、「レベル４」の選択時には「設定値１０」が選択されている状態の音量が出力される。そして「レベル５」の選択時には「設定値１２」が選択されている状態の音量が出力される。尚、遊技者
の十字キー１９によって設定変更された音量と、背面音量設定スイッチ３５で設定された基準の音量とが同一の区分のときは、背面音量設定スイッチ３５で設定された音量を出力することが望ましい。
また遊技の状況に応じては、遊技者の十字キー１９によって設定変更された音量が、背面音量設定スイッチ３５で設定された基準の音量よりも小さい音量の時には、所定の条件が満たされることで音量を変更せずに基準の音量を維持するようにしてもよい。この場合、所定の条件が満たされも、設定変更された音量が基準の音量よりも大きい時には大きい音量に変更することが望ましい。
【００２８】
次に本パチンコ機の電気的構成を説明する。図５に示すように、遊技の制御を司る主制御装置４０を中心に、サブ制御装置として払出制御装置４１、サブ統合制御装置４２及び演出図柄制御装置４３を具備する構成である。主制御装置４０、払出制御装置４１、サブ統合制御装置４２及び演出図柄制御装置４３においては、何れもＣＰＵ、ＲＯＭ、ＲＡＭ、入力ポート、出力ポート等を備え、これら制御装置は何れもＣＰＵにより、２ｍｓ周期又は４ｍｓ周期の割り込み信号に起因してＲＯＭに搭載しているメインルーチン及びサブルーチンからなるプログラムが開始され、各種の制御が実行される。
発射制御装置４４にはＣＰＵ、ＲＯＭ、ＲＡＭ等が設けられていない。しかしこれに限るわけではなく、発射制御装置４４にＣＰＵ、ＲＯＭ、ＲＡＭ等を設けてもよい。
【００２９】
主制御装置４０は、裏配線中継端子板５３０及び外部接続端子板３８を介して遊技施設のホールコンピュータ５００と電気的に接続される。また主制御装置４０には、裏配線中継端子板５３０や遊技盤中継端子板５３１を介して、前枠（ガラス枠）及び内枠が開放しているか否か検出するガラス枠開放ＳＷ（スイッチ）５０１、内枠開放ＳＷ５０２、特別図柄（以下、単に特図という）の当否判定及び変動開始の起因となる第１特図始動口２３への入球を検出する第１始動ＳＷ５０３、同じく特図の当否判定及び変動開始の起因となる第２特図始動口２４への入球を検出する第２始動ＳＷ５０４、普通図柄（以下、単に普図という）の抽選及び変動開始の起因となる作動ゲート２２への入球を検出する普通図柄作動ＳＷ５０５、特図の大当り時に開放される大入賞口２５への入球を検出するカウントＳＷ５０６、及び普通入賞口２６への入球を検出する左入賞口ＳＷ５０７等の検出信号が入力される。
【００３０】
また主制御装置４０は搭載しているプログラムに従って動作して、上述の検出信号などに基づいて遊技の進行に関わる各種のコマンドを生成し、払出制御装置４１や、演出中継端子板５３２を介してサブ統合制御装置４２、演出図柄制御装置４３へ向けてのコマンドの出力や、図柄表示装置中継端子板５３３を介して、前記第１特図始動口２３への入球に起因する第１特図の変動及び確定表示を行う第１特図表示装置２７、第１特図の保留記憶数を示す第１特図保留数表示装置２７１、前記第２特図始動口２４への入球に起因する第２特図の変動及び確定表示を行う第２特図表示装置２８、第２特図の保留記憶数を示す第２特図保留数表示装置２８１、前記作動ゲート２２への入球に起因する普図の変動及び確定表示を行う普通図柄表示装置２９、普図の保留記憶数を示す普図保留数表示装置２９１等の表示制御を行なう。
【００３１】
更に主制御装置４０は、遊技盤中継端子板５３１を介して、大入賞口ソレノイド５１０及び普電役物ソレノイド５１１が接続されている。そして大入賞口ソレノイド５１０を制御して前記大入賞口２５を開放作動せしめ、普電役物ソレノイド５１１を制御して前記第２特図始動口２４を入球が可能又は容易な状態に開放せしめる前記普電役物を作動せしめる。
主制御装置４０からの出力信号は試験信号端子にも出力される他、図柄変動や大当り等の管理用の信号が外部接続端子板３８を経てホールコンピュータ５００に送られる。
主制御装置４０と払出制御装置４１とは双方向通信が可能である。
【００３２】
払出制御装置４１は、裏配線中継端子板５３０や払出中継端子板５３４を介して球タンクが空状態になったことを検出する球切れＳＷ５２０、遊技球が払い出されたことを検出する払出ＳＷ５２２、遊技球貯留皿が満杯状態になったことを検出する満杯ＳＷ５２３等の検出信号が入力される。また主制御装置４０から送られてくるコマンドに応じて払出モータ５２１を稼働させて遊技球を払い出させる。更に、ＣＲユニット端子板５３５を介してＣＲユニット６０と電気的に接続され、精算表示装置１７３を介して球貸及び精算ＳＷ１７１，１７２による貸出要求、精算要求の操作信号を受け付け、ＣＲユニット６０とデータを送受し、貸出要求信号に応じて払出モータ５２１を稼働させて貸球を払い出させ、ＣＲユニット６０に挿入されているプリペイドカードの残高表示を制御する。
【００３３】
発射制御装置４４は、発射ハンドル１４の回転操作を検出するスイッチ５２４、発射停止ＳＷ５２５、発射ハンドル１４に遊技者が接触（操作）していることを検出するタッチＳＷ５２６等の検出信号が入力される。払出制御装置４１を介して主制御装置４０から送られてくるコマンド（タッチＳＷ５２６の信号や遊技状況を反映している）、発射ハンドル１４（５２４）の回動信号及び発射停止ＳＷ５２５の信号に基づいて発射モータ５２７を制御して遊技球を発射及び停止させる。
【００３４】
サブ統合制御装置４２は、スピーカ１１２を駆動して音声を出力することや、各種ＬＥＤや各種ランプ１１３の点灯、消灯等を制御する。更に演出図柄制御装置４３へキャラクタなどを表示する擬似演出や第１特図又は第２特図の擬似図柄の表示態様のコマンドを送信する（特許請求の範囲に記載の音声出力制御手段に相当する）。
サブ統合制御装置４２には、演出ボタン１５やジョグダイヤル１６の操作を検出する演出ＳＷ５２８やジョグダイヤルセンサ５２９、十字キー１９の各ボタンの操作を検出する十字キー上ＳＷ５３６、十字キー下ＳＷ５３７、十字キー左ＳＷ５３８、十字キー右ＳＷ５３９、十字キー中ＳＷ５４０などの操作信号が入力される。
【００３５】
演出図柄制御装置４３は、ＬＣＤパネルユニットや付属ユニットと共に演出図柄表示装置２１を構成している。演出図柄制御装置４３は、サブ統合制御装置４２から送られてくるコマンドに応じて演出図柄表示装置２１のＬＣＤパネルの表示を制御する。
【００３６】
本パチンコ機１は、普図の当否抽選を行い、その結果が当りであれば前記普電役物を開放するので、前記第２特図始動口２４への入球が可能又は容易となる。常時入球が可能な前記第１特図始動口２３又は前記第２特図始動口２４への入球により第１又は第２特図の当否判定を行い、これに伴い第１又は第２特図表示装置２７，２８に特図を変動後に確定表示する一方、演出図柄表示装置２１において特図に対応する擬似演出図柄を変動後に確定表示するようになし、遊技者の大当りに対する期待感を高める演出を行なう。前記当否判定の結果が大当りであれば大入賞口を所定の開放態様で開放せしめる特別遊技を実施する。
そして前記演出中でも遊技者による演出音の音量の設定変更を可能とし、演出中に音量を設定変更する場合には演出を邪魔することがないように、確認音の出力及び音量レベル表示を制限することがなされる。
以下、演出中の遊技者による音量の設定変更の詳細を主制御装置４０及びサブ統合制御装置４２で実行されるプログラム処理に基づいて説明する。
【００３７】
図６は主制御装置４０で実行される「メインルーチン」のフローチャートを示し、「メインルーチン」は本処理（Ｓ１００〜Ｓ１１０，Ｓ１１５）と残余処理（Ｓ１１１）とで構成され、２ｍｓ又は４ｍｓ周期の割り込み信号に起因して開始され、最初に正常割り込みか否かを判断する（Ｓ１００）。この判断はＲＡＭの特定アドレスに特定の数値が書き込まれているか否かに基づいて行われ、ここで否定判断（Ｓ１００：ｎｏ）なら初期設定（Ｓ１１５）を実行する。前述の正常割り込みか否かを判断するための数値は、この初期設定の一環としてＲＡＭに書き込まれる。
【００３８】
正常割り込みなら（Ｓ１００：ｙｅｓ）、初期値乱数更新処理（Ｓ１０１）、特図の当否判定用の乱数値である大当り決定用乱数（乱数カウンタ）の更新処理（Ｓ１０２）、特図の大当り図柄決定用乱数（乱数カウンタ）の更新処理（Ｓ１０３）、普図の当り決定用乱数（乱数カウンタ）の更新処理（Ｓ１０４）、特図のリーチに関するリーチ判定用乱数（乱数カウンタ）の更新処理（Ｓ１０５）、特図の変動パターンに関する変動パターン決定用乱数（乱数カウンタ）の更新処理（Ｓ１０６）、入賞確認処理（Ｓ１０７）、当否判定処理（Ｓ１０８）、各出力処理（Ｓ１０９）、不正監視処理（Ｓ１１０）を行って、次に割り込み信号が入力されるまでの残余時間内には初期乱数更新処理（Ｓ１１１）をループ処理する。
【００３９】
次に、本発明に関わりの深い入賞確認処理（Ｓ１０７）、当否判定処理（Ｓ１０８）及び各出力処理（Ｓ１０９）の一部のサブルーチンについて説明する。
図７に示す「始動口入賞確認処理」は主制御装置４０で実行されるサブルーチンであり、この処理では、前記第１、第２特図始動口２３，２４への入球（入賞）を確認し、入球時に抽出した各種乱数値を、第１特図、第２特図それぞれ個別に保留記憶する処理を行う。
【００４０】
「始動口入賞確認処理」では、先ず第１、第２始動口ＳＷ５０３，５０４の検出信号に基づいて、第１、第２特図始動口に入球があるかを確認する（Ｓ２００）。入球があれば（Ｓ２００：ｙｅｓ）、保留記憶数が既に上限数まで達しており満杯でないか否かを確認する（Ｓ２０１）。記憶可能な上限数は第１特図、第２特図各々４個である。保留記憶が満杯でなければ（Ｓ２０１：ｙｅｓ）、Ｓ２０２の抽出乱数保留記憶処理において、前記入球に起因して複数の乱数値（大当り判定用乱数、大当り図柄決定用乱数、リーチ判定用乱数、ハズレ図柄決定用乱数、変動パターン決定用乱数等）を抽出し、保留記憶として記憶する。
続くＳ２０３の処理では、第１特図保留数表示装置２７１又は第２特図保留数表示装置２８１の点灯数を増加させると共に、サブ統合制御装置４２に現在の保留記憶数を示す保留個数指定コマンドを送信する。
【００４１】
図８乃至図１１は主制御装置４０で実行される特図の「当否判定処理」のフローチャートを示す。この処理において第１特図の当否判定と第２特図の当否判定は個別に実行され、かつ第２特図の保留記憶があるときは第２特図の当否判定が優先して実行される。
尚、第１特図と第２特図の当否判定はほぼ同じ処理であり、以下の説明では、必要があれば両者を区別するが、それ以外は第１特図及び第２特図を区別せずに単に「特図」とする。
図８に示すように「当否判定処理」は、大入賞口を開放させるための特別電動役物が作動中か確認し、作動していなければ（Ｓ３００：ｎｏ）、特図が変動中か確認し、変動中でなければ（Ｓ３０１：ｎｏ）、特図の確定図柄が表示されているか確認する（Ｓ３０２）。尚、特別電動役物が作動中（Ｓ３００：ｙｅｓ）であれば「特別遊技処理」に移行する。図略ではあるが「特別遊技処理」は大当りによる前記特別遊技を実行するプログラムである。
【００４２】
Ｓ３０２の処理で確定図柄が表示中でなければ（Ｓ３０２：ｎｏ）、図９に示すように、Ｓ３１０の処理において特図の保留記憶があるか確認する。保留記憶があれば（Ｓ３１０：ｙｅｓ）、記憶数を減算し、保留記憶のシフト処理を行う（Ｓ３１１）。該シフト処理により特図の保留記憶のうち最も古い保留記憶が当否判定の対象となる。
【００４３】
次にＳ３１２の処理で、確変フラグを確認して現在の遊技状態が前記確変遊技状態であるか確認する（確変フラグが「１」であれば確変中）。確変中であれば（Ｓ３１２：ｙｅｓ）、確変時の当否判定用テーブルと前記当否判定の対象となる保留記憶の大当り決定用乱数とを対比して大当りか否か当否判定を行う（Ｓ３１３）。
確変中でなければ（Ｓ３１２：ｎｏ）、通常確率（低確率）の当否判定用テーブルと前記大当り決定用乱数とを対比して大当りか否か当否判定を行う（Ｓ３１４）。
【００４４】
続くＳ３１５の処理では、Ｓ３１３又はＳ３１４の処理の当否判定が大当りか否かの確認を行う（特許請求の範囲に記載の当否判定手段に相当する）。
大当りであれば（Ｓ３１５：ｙｅｓ）、Ｓ３１６の処理において、前記当否判定の対象となる保留記憶の大当り図柄決定用乱数に基づいて大当り図柄を決定する。
Ｓ３１７の処理では、前記当否判定の対象となる保留記憶の変動パターン決定用乱数に基づいて、特図の大当り用の変動時間などといった変動パターンを決定する。
【００４５】
変動パターンの決定後、Ｓ３１８で大当り設定処理を行う。この処理では、前記決定された大当り図柄に基づき、大当りの特別遊技の開放パターンの設定を行う。尚、前記Ｓ３１８の大当り設定処理では、開放パターンの設定の他にも、例えば演出図柄表示装置２１で実行される大当りの特別遊技のオープニング演出の時間の設定、エンディング演出の時間の設定、大入賞口２５の開放態様、特別遊技終了後の遊技状態等の設定がなされる。
【００４６】
前記Ｓ３１５の処理において、大当りでなくハズレであれば（Ｓ３１５：ｎｏ）、Ｓ３１９の処理において、特図のハズレ用の変動時間などといった変動パターンを決定する。続くハズレ設定処理（Ｓ３２０）では、遊技状態が確変、時短であれば、これらの継続期間をカウントする前記「確変カウンタ」及び「時短カウンタ」の減算等を行なう。
【００４７】
Ｓ３１８又はＳ３２０の各設定処理の後、Ｓ３２１の処理では、特図表示装置２８の図柄変動開始制御を行い、サブ統合制御装置４２へ図柄の変動開始コマンド、図柄指定コマンドを送信し、「特別遊技処理」へ移行する。変動開始コマンド、図柄指定コマンドには特図の変動パターン、特図の当否判定の判定結果などが含まれる。
【００４８】
前記Ｓ３１０の処理にて保留記憶がなければ（Ｓ３１０：ｎｏ）、Ｓ３２２の待機コマンド送信処理において、特図が変動しておらず遊技機が待機状態であることを示す待機コマンドがサブ統合制御装置４２へ送信される。その後、「特別遊技処理」に移行する。このように、待機状態は、遊技者により遊技がなされていない遊技者待ちの状態、及び遊技者により遊技球が発射されている遊技中であっても特図が変動していない変動待ちの状態とされている。
【００４９】
前記図８のＳ３０１の処理で特図の変動中のときは（Ｓ３０１：ｙｅｓ）、図１０に示すように、特図の変動時間が経過したことを確認すると（Ｓ３３０：ｙｅｓ）、確定図柄表示処理（Ｓ３３１）において、特図表示装置２７、２８の特図の変動表示を終了させる制御を行い、サブ統合制御装置４２及び演出図柄制御装置４３へ擬似図柄の変動表示及び演出表示を終了させるように図柄確定コマンドを送信し、「特別遊技処理」へ移行する。
【００５０】
前記図８のＳ３０２の処理で特図の確定図柄を表示中であれば（Ｓ３０２：ｙｅｓ）、図１１のＳ３４０の処理に移行して、確定図柄表示時間が終了したか確認する。確定図柄表示時間が終了していなければ（Ｓ３４０：ｎｏ）、「特別遊技処理」へ移行する。
一方、確定図柄表示時間が終了したことを確認すると（Ｓ３４０：ｙｅｓ）、確定図柄表示終了の処理（Ｓ３４１）により特図表示装置２８の特図の確定図柄表示を終了させる制御を行い、サブ統合制御装置４２へ特図に対応する擬似図柄の確定表示を終了させるようにコマンドを送信する。
【００５１】
続いて特図の図柄が大当りになる組合せであるか確認し（Ｓ３４２）、大当りになる組合せであったときは（Ｓ３４２：ｙｅｓ）、確変フラグが「１」であれば（Ｓ３４３：ｙｅｓ）、確変フラグに「０」をセットする（Ｓ３４４）。次に、時短フラグが「１」であれば（Ｓ３４５：ｙｅｓ）、時短フラグに「０」をセットする（Ｓ３４６）。これらの処理により大当りの特別遊技中での遊技状態を通常状態にリセットする。
【００５２】
続くＳ３４７の処理では条件装置の作動を開始させる。更にＳ３４８の処理では役物連続作動装置の作動を開始させる。条件装置は大当りの特別遊技で役物連続作動装置の作動に必要な装置であり、役物連続作動装置は特別電動役物を連続して作動させる装置である。
そして大当り開始演出処理（Ｓ３４９）によりサブ統合制御装置４２へ大当り演出を開始させるようにコマンドを送信し、「特別遊技処理」に移行する。
【００５３】
前記Ｓ３４２の処理で、大当りになる組合せでなければ（Ｓ３４２：ｎｏ）、Ｓ３５０の処理において確変フラグが「１」であるか確認し、確変フラグが「１」であれば（Ｓ３５０：ｙｅｓ）、前記「確変カウンタ」の減算結果（確変回数）が「０」あるか否かを確認する（Ｓ３５１）。「０」であれば（Ｓ３５１：ｙｅｓ）、確変フラグを「０」にリセットする（Ｓ３５２）。
続く処理で時短フラグが「１」であるか確認し（Ｓ３５３）、時短フラグが「１」であれば（Ｓ３５３：ｙｅｓ）、前記「時短カウンタ」を減算結果（時短回数）が「０」あるか否かを確認する（Ｓ３５４）。「０」であれば（Ｓ３５４：ｙｅｓ）、時短フラグを「０」にセットする（Ｓ３５５）。
続くＳ３５６の状態指定コマンド送信処理では、遊技状態を示す確変フラグや時短フラグの情報等を含む状態指定コマンドを、サブ統合制御装置４２へ送信する。その後、「特別遊技処理」に移行する。
【００５４】
このように「当否判定処理」では、主制御装置４０からサブ統合制御装置４２へ向けて複数のコマンドが送信される。前記Ｓ３２１の処理の変動開始コマンドにより演出図柄表示装置２１の図柄変動が開始され、この場合、変動開始コマンドとともに変動パターン指定、特図の保留指定、更に少し間隔をおいて図柄指定（特図指定）及び機種情報指定等のコマンドがサブ統合制御装置４２へ送信される。
【００５５】
図柄変動中、前記Ｓ３３１の図柄確定コマンド（停止指定）により図柄変動が停止して特図が確定表示される。該確定表示中には、Ｓ３５６の状態指定コマンドにより遊技状態を示す確変フラグや時短フラグの情報等がサブ統合制御装置４２へ送られる。尚、状態指定コマンドは特図の確定表示時に送信されれば良く、本当否判定処理では、実質的に確定表示の終了時にサブ統合制御装置４２へ送信される。
【００５６】
次に図１２に基づいてサブ統合制御装置４２により実行される「変動開始処理」を説明する。本処理は先ず、Ｓ４００の処理において、主制御装置４０から特図の当否判定処理に伴う変動パターンを示唆するコマンドを受信したか否かを確認する。変動パターンコマンドを受信していれば（Ｓ４００：ｙｅｓ）、Ｓ４０１の処理において擬似演出の内容等を決定する。続くＳ４０２の処理において待機準備フラグを「０」にリセットし、更にＳ４０３の処理において待機フラグを「０」にリセットする。
【００５７】
続くＳ４０４の処理ではデモフラグを「０」にリセットし、更にＳ４０５の処理にではゲージフラグを「０」にリセットする。その後、Ｓ４０６の演出開始処理において前記Ｓ４０１の処理にて決定された内容に基づく擬似演出を開始するようになす。これにより演出図柄制御装置４３が演出図柄表示装置２１にて前記演出を開始させる。
【００５８】
続いてサブ統合制御装置４２は図１３に示す「待機コマンド受信処理」を実行する。この処理ではＳ４５０において主制御装置４０から前記待機コマンドを受信したか否かを確認する。待機コマンドを受信していれば（Ｓ４５０：ｙｅｓ）、Ｓ４５１の処理において待機準備フラグが「１」であるか否かを確認し、待機準備フラグが「１」でなければ（Ｓ４５１：ｎｏ）、Ｓ４５２の処理において待機準備フラグに「１」をセットする。
【００５９】
サブ統合制御装置４２は図１４に示す「音量設定表示処理」において、Ｓ５００の処理で前記待機準備フラグが「１」であるか否かを確認し、待機準備フラグが「１」であれば（Ｓ５００：ｙｅｓ）、Ｓ５０１の処理において前記待機コマンドの受信から１５秒以上経過したか否かを確認する。１５秒以上経過していれば（Ｓ５０１：ｙｅｓ）、Ｓ５０２の処理において待機フラグに「１」をセットし、続くＳ５０３の処理において前記待機準備フラグを「０」にリセットする。前記待機フラグに「１」をセットすることにより実質的に遊技機は、遊技者に遊技球が発射されていても特図変動のない待機状態とされる（特許請求の範囲に記載の遊技状態判別手段に相当する）。
続くＳ５０４の処理において音量設定の説明を表示するように制御する。これにより演出図柄制御装置４３が演出図柄表示装置２１にて前記説明を開始させる。
【００６０】
図１５に示すように、サブ統合制御装置４２が実行する「表示切替処理」では、Ｓ５５０の処理において前記待機フラグが「１」であるか否かを確認し、待機フラグが「１」であれば（Ｓ５５０：ｙｅｓ）、Ｓ５５１の処理において前記待機状態に移行してから１５秒以上経過したか否かを確認する。１５秒以上経過していれば（Ｓ５５１：ｙｅｓ）、Ｓ５５２の処理においてデモフラグが「１」であるか否かを確認し、デモフラグが「１」でなければ（Ｓ５５２：ｎｏ）、続くＳ５５３の処理においてデモ画面を表示するように制御し、Ｓ５５４の処理で前記デモフラグに「１」をセットする。これにより演出図柄制御装置４３が演出図柄表示装置２１にて前記デモ画面の表示を開始させる。
尚、前記Ｓ５５０の処理で前記待機フラグが「１」でないとき（Ｓ５５０：ｎｏ）又は前記Ｓ５５１の処理で前記待機状態に移行してから１５秒以上経過していないとき（Ｓ５５１：ｎｏ）はリターンする。
【００６１】
前記Ｓ５５２の処理で前記デモフラグが「１」であれば（Ｓ５５２：ｙｅｓ）、Ｓ５５５の処理において前記デモ画面を表示中であるか否かを確認する。デモ画面を表示中であれば（Ｓ５５５：ｙｅｓ）、Ｓ５５６の処理で前記デモ画面を表示してから３０秒以上経過したか否かを確認する。３０秒以上経過していれば（Ｓ５５６：ｙｅｓ）、Ｓ５５７の処理において図柄待機画面を表示するように制御する。これにより演出図柄制御装置４３が演出図柄表示装置２１の表示態様をデモ画面から図柄待機画面へ切替える。
【００６２】
前記Ｓ５５５の処理で前記デモ画面を表示中でなければ（Ｓ５５５：ｎｏ）、Ｓ５５８の処理において前記図柄待機画面を表示してから３０秒以上経過したか否かを確認する。３０秒以上経過していれば（Ｓ５５８：ｙｅｓ）、Ｓ５５９の処理において前記デモ画面を表示するように制御する。これにより演出図柄制御装置４３が演出図柄表示装置２１の表示態様を図柄待機画面からデモ画面へ切替える。
このように遊技機が待機状態では演出図柄表示装置２１においてデモ画面と図柄待機画面とが交互に表示される。
【００６３】
前記サブ統合制御装置４２による演出音の音量設定ついて説明する。図１６に示す「音量設定処理」では、先ずＳ６００の処理において遊技者により十字キー１９（前面音量設定スイッチ）の上ボタン１９１又は下ボタン１９２の操作が行なわれたか否かを確認する。スイッチ操作があれば（Ｓ６００：ｙｅｓ）、Ｓ６０１の処理において前記待機フラグが「１」であるか否かを確認して、遊技機の状態を判断する。待機フラグが「１」であり（Ｓ６０１：ｙｅｓ）、遊技状態が待機状態であれば、Ｓ６０２の処理において前記スイッチ操作に応じて音量を設定変更する。即ち、前記スイッチ操作が十字キー１９の上ボタン１９１の操作であれば、音量を１段階大きくする。一方、十字キー１９の下ボタン１９２の操作であれば、音量を１段階小さくする。
【００６４】
続くＳ６０３の処理においてゲージフラグが「１」であるか否かを確認し、ゲージフラグが「１」でなければ（Ｓ６０３：ｎｏ）、Ｓ６０４の処理において音量を示す音量レベルゲージを表示するように制御する（特許請求の範囲に記載の音量レベル画像表示手段に相当する）。これにより演出図柄制御装置４３が演出図柄表示装置２１にて前記音量レベルゲージを表示させる。表示は前記操作により変更されたレベルを示す。
続くＳ６０５の処理で前記ゲージフラグに「１」をセットする。
【００６５】
前記Ｓ６０３の処理においてゲージフラグが「１」であれば（Ｓ６０３：ｙｅｓ）、連続して音量の設定操作が行なわれており、Ｓ６０６の処理において表示されている音量レベルゲージを前記操作に応じたレベルに変更するように制御する（特許請求の範囲に記載の音量レベル画像表示手段に相当する）。これにより演出図柄制御装置４３が演出図柄表示装置２１にて前記変更された音量レベルゲージを表示させる。
【００６６】
前記Ｓ６０１の処理において前記待機フラグが「１」でなければ（Ｓ６０１：ｎｏ）、遊技状態が特図の変動状態であると認められ、続くＳ６０７の処理において前記Ｓ６０２と同様に前記スイッチ操作に応じて音量を設定変更する。尚、遊技状態が変動状態では音量レベルゲージの表示を行わない（特許請求の範囲に記載の表示禁止手段に相当する）。
しかしながら、音量が既に最大又は最小レベルで、これ以上又はこれ以下に変更することができない場合はその旨を示唆する。即ちＳ６０８の処理において音量が最大又は最小の限界値に到達しているか否かを確認し、限界値であれば（Ｓ６０８：ｙｅｓ）、Ｓ６０９の処理において音量が最大又は最小の限界値に達していることを報知するように制御する（特許請求の範囲に記載の限界値報知手段に相当する）。これにより演出図柄制御装置４３が演出図柄表示装置２１にて音量が最大又は最小の限界値に達していることを表示させる。尚、本「音量設定処理」では前記Ｓ６０１が肯定された以降の処理から待機フラグが「１」をなす待機状態では前記音量が最大又は最小の限界値に達していることを表示させない（特許請求の範囲に記載の限界値報知手段に相当する）。
【００６７】
図１７に示すように、サブ統合制御装置４２が実行する「音量レベル表示消去処理」では、Ｓ６５０の処理において前記ゲージフラグが「１」であるか否かを確認して、音量レベルゲージが表示されているか否かを判断する。ゲージフラグが「１」であれば（Ｓ６５０：ｙｅｓ）、音量レベルゲージが表示中であると認められ、続くＳ６５１の処理において音量レベルゲージが表示されてから４秒間に音量を設定する操作が行われた否かを確認する。前記操作がなければ（Ｓ６５１：ｎｏ）、Ｓ６５２の処理において表示中の音量レベルゲージを消去するように制御する。これにより演出図柄制御装置４３が演出図柄表示装置２１の音量レベルゲージの表示を消す。
【００６８】
この場合、遊技状態は待機状態であり、Ｓ６５３の処理において前記Ｓ５０４の処理と同様に音量設定の説明を表示するように制御する。これにより演出図柄制御装置４３が演出図柄表示装置２１にて前記説明を開始させる。その後、Ｓ６５４の処理において前記ゲージフラグを「０」にリセットして、リターンする。
【００６９】
尚、前記サブ統合制御装置４２は遊技者による音量設定のスイッチ操作後の所定の期間に演出ボタン１５が操作されることで設定した実際の音量を確認音として出力する。図１８に示すように、「確認音処理」では、Ｓ７００の処理において演出ボタン１５が操作されたか否かを確認する。操作があれば（Ｓ７００：ｙｅｓ）、Ｓ７０１の処理において前記ゲージフラグが「１」であるか否かを確認して、音量レベルゲージが表示されているか否かを判断する。ゲージフラグが「１」であれば（Ｓ７０１：ｙｅｓ）、Ｓ７０２の処理において前記か確認音をスピーカ１１２から出力する（特許請求の範囲に記載の確認音出力制御手段に相当する）。このように音量の確認は音量レベルゲージが表示されているときに可能としている（特許請求の範囲に記載の確認音出力禁止手段に相当する）。
【００７０】
次に図１９乃至図２２に基づいて、演出図柄表示装置２１で表示される音量設定時の表示態様例を説明する。図１９（ａ）に示すように、特図の変動がハズレで終了し、かつ特図の保留記憶が無い遊技状態では待機準備状態と判断され、演出図柄表示装置２１の表示画面の中央に特図に対応する三桁の数字からなる擬似演出図柄２１０が表示されたハズレ図柄確定表示の画面となる。
前記ハズレ図柄確定表示となって１５秒経過すると前記待機状態と判断され、図１９（ｂ）に示すように、前記ハズレ図柄確定表示画面の下部右側位置に、十字キーの上ボタンにより音量を上げることが可能で、下ボタンにより音量を下げることが可能であることを示唆する音量設定説明表示２１１が表示された図柄待機表示の画面に変更される。
【００７１】
前記図柄待機表示に変わって１５秒経つと、図１９（ｃ）に示すように、パチンコ機のキャラクタと機台の名称表示２１２及び前記音量設定説明表示２１１とが表示されたデモ表示の画面に変更される。
その後、図１９（ｄ）、（ｅ）に示すように、３０秒ごとに前記図柄待機表示と前記デモ表示とが交互に切替えつつ繰り返し表示される。
【００７２】
図２０（ａ）は待機状態で前記図柄待機表示中に遊技者により音量を下げる操作がなされた場合の表示例を示し、前記図柄待機表示画面の下部左側位置に前記操作により設定された音量が「３」であることを示す音量レベルゲージ表示２１３が表示され、前記画面の下部右側位置に確認音説明表示２１４が表示される。
その後、前記操作から４秒以内に再度音量を下げる操作がなされた場合、図２０（ｂ）に示すように、前記音量レベルゲージ表示２１３において音量が「２」であることを示す表示に変更される。
【００７３】
図２０（ｃ）は待機状態で前記デモ表示中に遊技者により音量を上げる操作がなされた場合の表示例を示し、前記デモ表示画面の下部左側位置に前記操作により設定された音量が「３」であることを示す音量レベルゲージ表示２１３が表示され、前記画面の下部右側位置に確認音説明表示２１４が表示される。
前記操作から４秒以内に再度音量を上げる操作がなされた場合、図２０（ｄ）に示すように、前記音量レベルゲージ表示２１３において音量が「４」であることを示す表示に変更される。
その後、前記操作から４秒以上経っても音量を上げる又は下げる操作がなされなければ、図２０（ｅ）に示すように、前記デモ表示画面の下部右側位置に前記音量設定説明表示２１１とが表示された画面に戻る。
【００７４】
前記待機状態で第１又は第２特図始動口への入球により保留記憶がなされて特図の変動が開始すれると（変動状態）、図２１（ａ）に示すように、演出図柄表示装置２１の表示画面の中央において３桁の数字からなる前記擬似演出図柄が変動する変動画面が表示される。この状態で前記表示画面には待機状態のように音量設定説明表示２１１は表示されないが、音量を設定することは可能である。音量を上げる又は下げる操作をすると該操作に応じて音量は変更されるものの、前記待機状態のように音量レベルゲージ表示２１３や確認音説明表示２１４は表示されない。
【００７５】
遊技者の音量設定の操作により音量が最大になると、図２１（ｂ）に示すように、前記変動画面の下部左側位置に音量が最大限界値であることを示唆するＭＡＸ表示２１５が表示される。
一方、遊技者の音量設定の操作により音量が最小になると、図２１（ｃ）に示すように、前記変動画面の下部左側位置に音量が最小限界値であることを示唆するＭｉｎｉ表示２１６が表示される。
尚、ＭＡＸ表示２１５、Ｍｉｎｉ表示２１６は約１秒で消える構成にすることが望ましく、これにより質の高い演出を邪魔しないですむ。
【００７６】
また図略ではあるが、前記変動状態と判断されるハズレ図柄確定表示から１５秒経過するまでの状態及び大当りの特別遊技状態でも、遊技者の音量設定の操作により音量が最大になると前記ＭＡＸ表示を行われる一方、音量が最小になるとＭｉｎｉ表示が行われる。
【００７７】
一方、前記待機状態では、遊技者の音量設定の操作により音量が最大になると、図２２（ａ）に示すように、前記音量レベルゲージ表示２１３において音量が最大限界値である音量「５」を示す。再度音量を上げる操作がなされても、音量、音量レベルゲージ表示２１３はともに変らず音量「５」のままで維持される（図２２（ｂ））。
【００７８】
また前記待機状態では、音量設定の操作により音量が最小になると、図２２（ｃ）に示すように、前記音量レベルゲージ表示２１３において音量が最小限界値である音量「１」を示す。続けて音量を下げる操作がなされても、音量、音量レベルゲージ表示２１３はともに変らず音量「１」のままで維持される（図２２（ｄ））。
【００７９】
本パチンコ機は、特図の変動中、大当りによる特別遊技中及びその前後の大当り開始、終了演出中を変動状態とする。一方、特図の変動が終了してハズレ図柄で確定表示された後、保留記憶がなく、直ぐに次の変動が開始されず、かつ前記確定表示から所定の時間経過後(本実施形態では１５秒)を待機状態として、次に保留記憶が記憶されて図柄変動するまで待機状態を継続するように構成した。更に待機状態であっても変動状態であっても何時でも、遊技者は任意に音量の設定変更を行うことができる。
【００８０】
本パチンコ機によれば、待機状態では演出図柄表示装置２１に音量設定説明表示２１１が表示され、遊技者により音量の設定変更が行なわれると、音量レベルゲージ表示２１３が表示されると共に確認音説明表示２１４が表示され、更に演出ボタン１５を押すことで確認音が出力されるので、遊技者は設定変更した実際の音量レベルを確認できる上、どの位の範囲で音量を変更可能であるかが分かり、容易に音量を設定変更することができる。
一方、変動状態における音量の設定変更は、設定変更時に音量レベル画像が表示されず、確認音も出力されないため、特図の変動に伴う擬似演出の邪魔にならず、遊技者は好みの音量で擬似演出を楽しむことができる。
この場合、変動状態にて音量の設定変更を行う遊技者はベテランが多く、経験を生かして容易に音量の設定変更ができる。また変動状態では、音量の設定変更を行うと演出音の音量が設定変更の操作に応じて変化するようにすれば、確認音が出力されなくても、変更した音量の大きさを確認でき、容易に遊技者が好みの音量に設定変更することができる。
また変動状態の音量の設定変更時には、音量が最大又は最小であることを示すＭＡＸ表示２１５又はＭｉｎｉ表示２１６からなる限界値報知を行なうので、音量が既に、遊技者によって変更できる最大又は最小の音量に達しているのにも関わらず、さらに音量を上げる又は下げる操作を行う可能性が高いが、このような無駄な行為をさせずにすむ。
【００８１】
更にまた本パチンコ機は、特図の変動がハズレ図柄で確定表示された後に保留記憶がなく、直ぐに次の変動が開始されないときは、所定の時間経過が経過するまで待機状態とせず、音量レベルゲージ表示や確認音の出力をしないようにすることで、何時、特図の変動
が開始されてこれに応じて擬似演出が開始されても、当該擬似演出の邪魔をせずにすむ。
【００８２】
尚、本パチンコ機では、遊技者により設定変更可能な音量レベルを５段階としたがこれに限るものではない。又、待機状態と変動状態とで遊技者により設定変更可能な音量レベルが異なる構成としてもよい。例えば待機状態では設定変更可能な音量レベルを５段階にする一方、変動状態では、図２３に示すように設定変更可能な音量レベルを３段階にする。例えば、十字キー１９の３段階の各レベルに対応して背面音量設定スイッチ３５の「設定値４〜１５」の設定範囲を３段階に区分する。例えば、背面音量設定スイッチ３５の「設定値４乃至７」の区分を十字キー１９の「レベル１」とし、「設定値８乃至１１」の区分を「レベル２」とし、「設定値１２乃至１５」の区分を「レベル３」とする。これによれば、待機状態に比べて変動状態での遊技者による設定変更操作を簡素化することができ、擬似演出の邪魔とならない。逆に、待機状態では設定変更可能な音量レベルを３段階にする一方、変動状態では設定変更可能な音量レベルを５段階にしてもよい。
【００８３】
尚、本発明は前記実施形態に限定されるものではなく、本発明の要旨を逸脱しない範囲でさまざまに実施できることは勿論である。例えば前記実施形態では、特図の変動がハズレ図柄で確定表示された後、保留記憶がなく、直ぐに次の変動が開始されず、かつ前記確定表示から所定の時間経過後を待機状態としているが、これに限らず、ハズレ図柄で確定表示された後、保留記憶がなく、直ぐに次の変動が開始されなければ待機状態としてもよい。また待機状態において十字キー１９（上ボタン１９１又は下ボタン１９２）にて音量の設定変更の操作をした後に演出ボタン１５を押すことで確認音を出力するようにしたが、十字キー１９の操作で（音量の設定が変化することで）直接確認音を出力するようにしてもよい。
更に、パチンコ機台内に所定数の遊技球が封入され、封入された遊技球を遊技盤の遊技領域に向けて発射するとともに、発射された遊技球を回収し、回収した遊技球を再度発射することで内部の所定数の遊技球を循環的に使用して遊技を行う封入式パチンコ機に適用してもよい。
【符号の説明】
【００８４】
２１  演出図柄表示装置
２３  第１特図始動口（始動口）
２４  第２特図始動口（始動口）
２５    大入賞口
２７  第１特図表示装置（特別図柄表示装置）
２８  第２特図表示装置（特別図柄表示装置）
４０  主制御装置（当否判定手段）
４２  サブ統合制御装置（音声出力制御手段、音量レベル画像表示手段、確認音出力制
御手段、表示禁止手段、確認音出力禁止手段、遊技状態判別手段、限界値報知手段、限界
値報知禁止手段）
【図１】
2019022780.tif 000003
【図２】
2019022780.tif 000004
【図３】
2019022780.tif 000005
【図４】
2019022780.tif 000006
【図５】
2019022780.tif 000007
【図６】
2019022780.tif 000008
【図７】
2019022780.tif 000009
【図８】
2019022780.tif 000010
【図９】
2019022780.tif 000011
【図１０】
2019022780.tif 000012
【図１１】
2019022780.tif 000013
【図１２】
2019022780.tif 000014
【図１３】
2019022780.tif 000015
【図１４】
2019022780.tif 000016
【図１５】
2019022780.tif 000017
【図１６】
2019022780.tif 000018
【図１７】
2019022780.tif 000019
【図１８】
2019022780.tif 000020
【図１９】
2019022780.tif 000021
【図２０】
2019022780.tif 000022
【図２１】
2019022780.tif 000023
【図２２】
2019022780.tif 000024
【図２３】
2019022780.tif 000025